(57)【要約】【課題】圧縮機自体の発する熱（温熱）を衣類の乾燥用空気の加熱に利用することができる省エネ効果の高い衣類乾燥装置を提供する。【解決手段】衣類乾燥装置１は、本体１０と、衣類を収容するドラム１２と、ドラム１２に外気を供給する給気手段２０と、ドラム１２から排出された空気を装置外に排出する排気手段３０と、ヒートポンプ装置４０とを有する。給気手段２０が、本体１０に設置された外気を受け入れる外気受入部２２と、外気受入部２２に設置された圧縮機４１と、外気受入部２２に連通して設置された凝縮器４２と、凝縮器４２からドラム１２に向かう風路を形成する給気経路２４と、給気経路２４の内部に設置された給気ファン２３とを具備する。排気手段３０が、ドラム１２から外に向かう風路を形成する排気経路３１、３４と、排気経路３１の内部に設置された蒸発器４４および排気ファン３２とを具備する。【選択図】図１
2007143720.tif 000002
【特許請求の範囲】
【請求項１】
本体と、
該本体内に設置され、衣類を収容するドラムと、
該ドラムに前記本体の外の空気を供給する給気手段と、
前記ドラムから排出された空気を前記本体の外に排出する排気手段と、
冷媒を圧縮する圧縮機、圧縮された冷媒を凝縮させる凝縮器、凝縮した冷媒を膨張させる膨張手段、および膨張した冷媒を蒸発させる蒸発器を具備するヒートポンプ装置と、を有する衣類乾燥装置であって、
前記給気手段が、前記本体の外の空気を受け入れる外気受入部と、該外気受入部に設置された前記圧縮機と、前記外気受入部に連通して設置された前記凝縮器と、該凝縮器から前記ドラムに向かう風路を形成する給気経路と、該給気経路の内部に設置された給気ファンと、を具備し、
前記排気手段が、前記ドラムから前記本体の外に向かう風路を形成する排気経路と、該排気経路の内部に設置された前記蒸発器および排気ファンと、を具備することを特徴とする衣類乾燥装置。
【請求項２】
本体と、
該本体内に設置され、衣類を収容するドラムと、
該ドラムに前記本体の外の空気を供給する給気手段と、
前記ドラムから排出された空気を前記本体の外に排出する排気手段と、
冷媒を圧縮する圧縮機、圧縮された冷媒を凝縮させる凝縮器、凝縮した冷媒を膨張させる膨張手段、および膨張した冷媒を蒸発させる蒸発器を具備するヒートポンプ装置と、
前記圧縮機に設置された受熱部を具備するヒートパイプと、を有する衣類乾燥装置であって、
前記給気手段が、前記本体の外の空気を受け入れる外気受入部と、該外気受入部に設置された前記ヒートパイプの放熱部と、前記外気受入部に連通して設置された前記凝縮器と、該凝縮器から前記ドラムに向かう風路を形成する給気経路と、該給気経路の内部に設置された給気ファンと、を具備し、
前記排気手段が、前記ドラムから前記本体の外に向かう風路を形成する排気経路と、該排気経路の内部に設置された前記蒸発器および排気ファンと、を具備することを特徴とする衣類乾燥装置。
【請求項３】
本体と、
該本体内に設置され、衣類を収容するドラムと、
該ドラムに前記本体の外の空気を供給する給気手段と、
前記ドラムから排出された空気を前記本体の外に排出する排気手段と、
冷媒を圧縮する圧縮機、圧縮された冷媒を凝縮させる凝縮器、凝縮した冷媒を膨張させる膨張手段、および膨張した冷媒を蒸発させる蒸発器並びに第２蒸発器を具備するヒートポンプ装置と、を有する衣類乾燥装置であって、
前記給気手段が、前記本体の外の空気を受け入れる外気受入部と、該外気受入部に設置された前記第２蒸発器および前記圧縮機と、前記外気受入部に連通して設置された前記凝縮器と、該凝縮器から前記ドラムに向かう風路を形成する給気経路と、該給気経路の内部に設置された給気ファンと、を具備し、
前記排気手段が、前記ドラムから前記本体の外に向かう風路を形成する排気経路と、該排気経路の内部に設置された前記蒸発器および排気ファンと、を具備することを特徴とする衣類乾燥装置。
【請求項４】
前記排気経路の一部または前記排気ファンの一部の一方または両方が、前記外気受入部に接していることを特徴とする請求項１乃至３の何れかに記載の衣類乾燥装置。
【請求項５】
前記圧縮機の外面に、放熱用フィンが設置されていることを特徴とする請求項１乃至４の何れかに記載の衣類乾燥装置。
【請求項６】
前記蒸発器を経由した後の空気の一部または全部を、前記外気受入部に供給する循環経路が設置されていることを特徴とする請求項１乃至５の何れかに記載の衣類乾燥装置。
【請求項７】
前記蒸発器を経由する前の空気に、前記本体の外の空気を注入する外気注入手段が設置されていることを特徴とする請求項１乃至６の何れかに記載の衣類乾燥装置。
【請求項８】
前記外気受入部の開口部を開閉する開閉扉が設置されていることを特徴とする請求項６または７記載の衣類乾燥装置。
【請求項９】
前記ドラムが水槽内に配置され、該ドラムに収容された衣類を洗濯自在であることを特徴とする請求項１乃至８の何れかに記載の衣類乾燥装置。
【発明の詳細な説明】
【技術分野】
【０００１】
本発明は衣類の乾燥を行う衣類乾燥装置、特に、洗濯と乾燥とを同一槽で行う乾燥機能付き洗濯機に設置される衣類乾燥装置に関するものである。
【背景技術】
【０００２】
従来の乾燥機能付き洗濯機に設置される衣類乾燥装置は、乾燥用空気を加熱する熱源として、ヒータやヒートポンプなどが用いられている。ヒータ方式は、衣類に１００℃程度の温風を吹き付けるため、衣類の劣化や縮みなどが生じたり、消費する電力量も多く省エネ性に欠けたりする。一方、ヒートポンプ式は、衣類に当たる温風の温度をヒータ方式よりも低く抑えることができるため、衣類の劣化や縮みは少なく抑えられると共に、冷媒の潜熱を用いて衣類を乾燥させるため、ヒータ式に較べて効率が良く、消費電力量が小さいという特徴がある。 
【０００３】
ヒートポンプ式は、冷媒を圧縮する圧縮機と、圧縮された冷媒を凝縮させる凝縮器と、凝縮した冷媒を膨張させる膨張手段と、膨張した冷媒を蒸発させる蒸発器と、これらを連結して冷媒を循環させる循環配管とを具備している。すなわち、凝縮器を通過した高温空気を、衣類を収容している回転ドラムに供給して衣類の水分を奪い、回転ドラムから排出された高温空気（水分を含んでいる）を蒸発器に供給して温度を低下させると共に水分を結露として回収する。その後、水分が除かれて低温になった空気を再び凝縮器に戻して高温空気にする循環方式を採用している。
【０００４】
このとき、乾燥運転の開始直後は、凝縮器において空気温度が上昇し難いため、凝縮器に供給される空気の温度低下を抑える（回転ドラムから排出された空気の温度低下を抑えるに同じ）発明が開示されている。すなわち、循環空気の除湿用蒸発器とは別に、洗濯乾燥機の外部に補助蒸発器を設置し、乾燥運転の開始直後は該補助蒸発器に冷媒を供給して、冷媒の冷熱を外気に放出し、循環空気が除湿用蒸発器において冷却されないようにしている（例えば、特許文献１参照）。
また、回転ドラムから排出された高温空気の量が少ない場合には、蒸発器おける冷熱の放出量が少なくなり、循環する冷媒の温度が高くなり、反対に、回転ドラムから排出された高温空気の量が多い場合には、蒸発器おける冷熱の放出量が多くなり、循環する冷媒の温度が低くなるため、蒸発器に供給する空気量を制御する発明が開示されている。すなわち、回転ドラムと蒸発器との間で、空気循環路内から循環空気を一部外部に排出する排気口や、空気循環路内に外気を取り入れる吸気口を設けている（例えば、特許文献２参照）。
【０００５】
【特許文献１】特開平１−２１２５９９号公報（第４頁、図１）
【特許文献２】特開２００４−３２７５５号公報（第５頁、図１）
【発明の開示】
【発明が解決しようとする課題】
【０００６】
しかしながら、特許文献１および特許文献２に開示された発明は、いずれもヒートポンプを構成する圧縮機自体の温度が上昇するものの、その熱（温熱）は乾燥機能付き洗濯機の本体内の空気や本体自体に伝わるだけで、衣類の乾燥に利用されないという問題があった。
【０００７】
この発明は前記問題を解決するためになされたもので、圧縮機自体の発する熱（温熱）を衣類の乾燥用空気の加熱に利用することができる省エネ効果の高い衣類乾燥装置を提供することを目的とする。
【課題を解決するための手段】
【０００８】
本発明に係る衣類乾燥装置は、本体と、
該本体内に設置され、衣類を収容するドラムと、
該ドラムに前記本体の外の空気を供給する給気手段と、
前記ドラムから排出された空気を前記本体の外に排出する排気手段と、
冷媒を圧縮する圧縮機、圧縮された冷媒を凝縮させる凝縮器、凝縮した冷媒を膨張させる膨張手段、および膨張した冷媒を蒸発させる蒸発器を具備するヒートポンプ装置と、を有するものであって、
前記給気手段が、前記本体の外の空気を受け入れる外気受入部と、該外気受入部に設置された前記圧縮機と、前記外気受入部に連通して設置された前記凝縮器と、該凝縮器から前記ドラムに向かう風路を形成する給気経路と、該給気経路の内部に設置された給気ファンと、を具備し、
前記排気手段が、前記ドラムから前記本体の外に向かう風路を形成する排気経路と、該排気経路の内部に設置された前記蒸発器および排気ファンと、を具備することを特徴とする。
【発明の効果】
【０００９】
以上のように、本発明によれば、給気手段が本体の外の空気を受け入れる外気受入部を具備し、該外気受入部に圧縮機が設置されているから、圧縮機の発する熱（温熱）によって温められた空気が、外気受入部に連通して設置された凝縮器に供給される。このため、圧縮機の発する熱（温熱）が有効に利用されると共に、凝縮器における負担（空気を加熱するための熱量）が低下し、その分、圧縮機の負担が減少して省エネ効果が奏される。
【発明を実施するための最良の形態】
【００１０】
［実施の形態１］
（衣類乾燥装置−ワンパス式）
図１は本発明の実施の形態１に係る衣類乾燥装置を模式的に示すものであって、（ａ）は一部を示す平面図、（ｂ）は側断面図である。図１において、衣類乾燥装置１は、洗濯と乾燥とを同一槽で行う乾燥機能付き洗濯機に設置されている。衣類乾燥装置１は、本体１０（乾燥機能付き洗濯機の本体に相当する）と、本体１０内に設置された洗濯槽１１と、洗濯槽１１内に配置されて衣類を収容するドラム１２と、ドラム１２に本体１０の外の空気（以下「外気」と称す）を供給する給気手段２０と、ドラム１２から排出された空気を本体１０の外に排出する排気手段３０と、ヒートポンプ装置４０と、を有している。
なお、図中、本体１０の外郭を明瞭に示すため、これを太い実線で示しているのが、当該部位が厚いことを示すものではない。
【００１１】
（ヒートポンプ装置）
ヒートポンプ装置４０は、冷媒を圧縮する圧縮機４１、圧縮された冷媒を凝縮させる凝縮器４２、凝縮した冷媒を膨張させる膨張手段（図示しない）、および膨張した冷媒を蒸発させる蒸発器４４と、これらを順番に連結して冷媒を循環させる循環配管（図示しない）とから構成されている。なお、冷媒としてＲ１３４ａを使用しているが、これに限定するものではない。
【００１２】
（給気手段）
給気手段２０は、本体１０の背面１３の底板に近い位置に形成されて、外気を導入する外気導入口２１と、外気導入口２１に連通する外気受入部２２と、外気受入部２２に設置された圧縮機４１と、外気受入部２２に連通して配置された凝縮器４２と、凝縮器４２からドラム１２に向かう風路を形成する給気経路２４と、給気経路２４の内部に設置された給気ファン２３と、を具備している。
【００１３】
（排気手段）
排気手段３０は、蒸発器４４と、ドラム１２と蒸発器４４とを連通するドラム排気経路３１と、蒸発器４４と、本体１０の前面１４の底板に近い位置に形成された排気口３５とを連通する蒸発器排気経路３４と、蒸発器排気経路３４の内部に設置された排気ファン３２とを具備している。なお、排気ファン３２の側面は、外気受入部２２を形成する仕切り板（ガイド板）５１に当接または仕切り板５１の一部になり、排気ファン３２を駆動する排気モータ３３が外気受入部２２内に突出している。
【００１４】
（空気の流れ）
したがって、給気ファン２３によって吸引された外気（たとえば、２０℃）は、まず、圧縮機４１の放熱によって温められた後（たとえば、３０℃）、凝縮器４２を通過し、このとき、冷媒の温熱を受け取って高温空気になる（たとえば、６５℃）。そして、高温空気は給気経路２４を経由してドラム１２に供給され、衣類に付着した水分を吸収する。
そして、水分を吸収した前記高温空気（水分の吸収により温度が下がっている、たとえば、４０℃、以下「高湿空気」と称する場合がある）は、ドラム排気経路３１を経由して、蒸発器４４に供給され（たとえば、３５℃）、ここで、冷媒の冷熱を受け取って低温空気（たとえば、２０℃）になる。このとき、高湿空気に含まれていた水分は結露するから、排気口３５から排出される低温空気の湿度は低くなっている。
なお、前記結露水は蒸発器４４の下方に配置されたドレン受け（図示しない）に受け止められ、洗濯水の排出口（図示しない）に流れ込むようになっている。
【００１５】
（省エネ）
以上のように、衣類乾燥装置１によれば、給気手段２０が外気を導入する外気受入部２２を具備し、外気受入部２２に圧縮機４１が設置されているから、圧縮機４１の本体が発する熱（温熱）によって温められた空気が、凝縮器４２に供給される。このため、圧縮機４１の発する熱（温熱）が有効に利用されると共に、凝縮器４２における負担（空気を加熱するための熱量）が低下し、その分、圧縮機４１の負担が減少して省エネ効果が奏される。さらに、排気モータ３３の発する熱（温熱）が外気受入部２２を通過する空気に伝達されるため、前記省エネ効果が助長される。
【００１６】
図２は本発明の実施の形態１に係る衣類乾燥装置の省エネ効果を概略説明するモリエル線図である。図２において縦軸はヒートポンプ装置の冷媒の圧力、横軸はヒートポンプ装置の冷媒のエンタルピーを示し、Ａは圧縮機吸入部（または蒸発器出口部）、Ｅは圧縮機吐出部、Ｂは凝縮器入口部、Ｃは凝縮器出口部、Ｄは蒸発器入口部の冷媒の状態を示している。従来のような圧縮機４１の放熱を使用しない場合は、凝縮器４２のみで、乾燥に使用する空気を加熱するため、Ｂ状態とＣ状態のエンタルピー差（ｂ）の熱量のみが使用される。
一方、圧縮機４１の放熱を利用できる場合は、Ｂ状態とＣ状態のエンタルピー差（ｂ）の熱量に加え、Ｅ状態とＢ状態のエンタルピー差の熱量も使用できるため、Ｅ状態とＣ状態のエンタルピー差（ｅ）の熱量が、乾燥に使用する空気を加熱するのに使用できるから、（（ｂ）−（ｅ））分の熱量の増加分乾燥時間が短縮でき、結果的に省エネルギーになる。また、乾燥に使用する空気を加熱する熱量をエンタルピー差（ｂ）程度にすれば、圧縮機４１の入力を下げることができ、省エネルギーになる。
なお、モリエル線図には含まれないが、圧縮機４１の損失分（圧縮機の駆動モータの熱量損失分等）の放熱も回収することができる。
【００１７】
（放熱フィン）
図３は本発明の実施の形態１に係る衣類乾燥装置に設置される圧縮機の例を模式的に示す斜視図である。図３の（ａ）において、圧縮機４１ａの本体側面に平面視放射状（側面視で長手方向に平行）に板状の放熱フィン４１１ａが設置されている。
図３の（ｂ）において、圧縮機４１ｂの本体側面には、圧縮機４１ａの放熱フィン４１１ａを複数枚の板材（２枚構成のもの図示している）によって構成した放熱フィン４１１ｂが設置されている。
図３の（ｃ）において、圧縮機４１ｃの本体側面には、長手方向に平行する鋸歯状（平面視で複数の略三角形が連続している）の放熱フィン４１１ｃが設置されている。放熱フィン４１１ｃ板材を折り曲げ加工したものであって、本体に縛着されている。
図３の（ｄ）において、圧縮機４１ｄ本体側面に長手方向に直行するリング状の放熱フィン４１１ｄが設置されている。
図３の（ｅ）において、圧縮機４１ｄ本体側面に放射状に棒状の放熱フィン４１１ｅが設置されている。
なお、放熱フィン４１１ａ〜４１２ｅは例示であって、本発明はその形状をこれに限定するものではなく、また、設置要領もまた限定するものではなく、本体側面に一体的に形成されたものや本体側面に接合されたものであってもよい。
【００１８】
（静音化）
さらに、外気受入部２２を形成する仕切り板５１、あるいは給気経路２４を形成する板材やドラム排気経路３１ないし蒸発器排気経路３４を形成する板材等に防音部材（たとえば、板状樹脂との複合鋼板等）を使用すれば、圧縮機４１、排気ファン３２や給気ファンが発する騒音を下げることができる。
なお、排気ファン３２や供給ファンはそれぞれ１台が設置されるものに限定するものではなく、一方の設置を省略したり、それぞれを複数台にしたりしてもよい。
さらに、圧縮機４１を防振材を介して本体１０に設置すれば、静音化効果が得られると共に、断熱性防振材を使用すれば、前記省エネ効果が促進される。
【００１９】
［実施の形態２］
（衣類乾燥装置−ヒートパイプ式）
図４は本発明の実施の形態２に係る衣類乾燥装置の一部を模式的に示す平面図である。なお、実施の形態１（図１）と同じ部分にはこれと同じ符号を付し、一部の説明を省略する。図４において、衣類乾燥装置２は、本体１０の内部に圧縮機４１が設置され、圧縮機４１の本体外周にヒートパイプ６０の受熱部６１が設置され、一方、外気受入部２２にヒートパイプ６０の放熱部６２が設置されている。
【００２０】
（給気手段）
すなわち、給気手段２０ｂが、外気導入口２１と、外気受入部２２と、外気受入部２２に設置されたヒートパイプ６０の受熱部６１と、凝縮器４２と、給気ファン２３と、給気経路２４と、を具備している。したがって、圧縮機４１の本体が発した温熱は、ヒートパイプ６０を伝わって、外気受入部２２に吸引された外気に受け渡されるから、実施の形態１と同様の省エネ効果が得られる。また、ヒートパイプ６０は配置の自由度が高いため、圧縮機４１の配置の自由度や外気受入部２２の形状や大きさの選定の自由度も高くなるから、機器配置が容易になる。
なお、受熱部６１の設置要領は限定するものではない。また、放熱部６２の形状や設置要領は限定するものではない。
【００２１】
［実施の形態３］
（衣類乾燥装置−ハイブリッド式）
図５は、本発明の実施の形態３に係る衣類乾燥装置の一部を模式的に示す平面図である。なお、実施の形態１（図１）と同じ部分にはこれと同じ符号を付し、一部の説明を省略する。図５において、衣類乾燥装置３は、蒸発器排気経路３４（排気ファン３２の下流側）と外気受入部２２とを連通する循環経路７１が設けられ、循環経路７１には通過する風量を調整自在な循環ダンパ７２が設置されている。
すなわち、実施の形態１、２に示す衣類乾燥装置１、２では、蒸発器４４において除湿された低温空気の全量が本体１０の外に排出されるのに対し、実施の形態３における衣類乾燥装置３は、蒸発器４４において除湿された低温空気の一部または全量を外気受入部２２に戻し、これを衣類乾燥装置３内で循環させることができる。
【００２２】
したがって、たとえば乾燥を開始した直後など、蒸発器４４において除湿された低温空気の温度が外気の温度よりも低い時には、循環ダンパ７２を閉じて該低温空気の全量を外部に排出する。すなわち、ドラム１２に供給される高温空気の全量は、外部から吸引されたものである（図５の（ａ）参照）。
一方、蒸発器４４において除湿された低温空気の温度が外気の温度よりも高くなった時には、循環ダンパ７２を開いて該低温空気の一部または全部を外気受入部２２に戻す。すなわち、ドラム１２に供給される高温空気の一部または全部は蒸発器４４において除湿された低温空気（循環空気に相当する）であって、これを除く空気が外部から吸引されたものである（図５の（ｂ）参照）。
よって、既に外気の温度より高い状態になっている空気（循環空気）が、圧縮機４１の本体から発する温熱によってさらに温められた後、凝縮器４２に供給されるため、ドラム１２に供給される高温空気の温度は一層高くなるから、乾燥時間が短縮して乾燥効率が向上する。また、高温空気の温度を一定にしようとすると、圧縮機４１の負担が低減するから、省エネ効果が得られる。
なお、以上は、外気受入部２２に圧縮機４１を設置したものを示しているが、本発明はこれに限定するものではなく、外気受入部２２にヒートパイプ６０の放熱部６２が設置されたものであってもよい（実施の形態２参照）。
【００２３】
［実施の形態４］
（衣類乾燥装置−切替式）
図６は、本発明の実施の形態４に係る衣類乾燥装置の一部を模式的に示す平面図である。なお、実施の形態３（図５）と同じ部分にはこれと同じ符号を付し、一部の説明を省略する。図６において、衣類乾燥装置４は、実施の形態３に示す衣類乾燥装置３（図５参照）の循環経路７１に切替ダンパ７３を設置すると共に、外気導入口２１に開閉扉（ダンパに同じ）８０を設置したものである。
すなわち、切替ダンパ７３は、蒸発器排気経路３４と循環経路７１とに対し、一方を前開または全閉に切り替えると同時に、他方を全閉または前開に切り替えるものであるから、蒸発器（冷却器）４４において除湿された低温空気は、全量を再び凝縮器４２に供給して全量を循環させること（図６の（ｂ）参照）、または全量を衣類乾燥装置４の外に排出することが可能である（図６の（ａ）参照）。
したがって、全量を循環させる場合には、開閉扉８０を閉じて、外気導入口２１を塞ぐことができるから、圧縮機４１や排気ファン３２等の騒音が外部に漏れることがなくなり、周囲の静音化を図ることができると共に、外気の侵入を完全に阻止することができるから、空気を確実に循環させることが可能になる。なお、開閉扉８０の形式は限定するものではない。
【００２４】
したがって、冷凍サイクルの蒸発温度が上がり、蒸発器４４からの吹き出し温度が外気の温度よりも高くなってきたら、切替ダンパ７３を「開」に、かつ外気導入口２１を「閉」に切り替えて、蒸発器４４からの吹き出し空気（水分が除去された低温空気）を再び凝縮器４２に導入する。このような風路の場合、蒸発温度をさげて、乾燥衣類からの蒸発した水分を蒸発器４４で除湿しなければ、乾燥効率がわるくなる（図６の（ｂ））。
したがって、蒸発温度を下げることにより、蒸発器４４からの吹き出し温度が下がるため、吹き出し温度が外気の温度よりも低くなったとき、再び、開閉扉８０を「閉」に、かつ外気導入口２１を「開」に切り替えて、蒸発器４４からの吹き出し空気（低温空気）を外部に吹き出すように風路を切り替える（図６の（ａ））。
なお、以上は、外気受入部２２に圧縮機４１を設置したものを示しているが、本発明はこれに限定するものではなく、外気受入部２２にヒートパイプ６０の放熱部６２が設置さたものであってもよい（実施の形態２参照）。
【００２５】
［実施の形態５］
（衣類乾燥装置−予乾燥式）
図７は、本発明の実施の形態５に係る衣類乾燥装置の一部を模式的に示す平面図である。なお、実施の形態１（図１）と同じ部分にはこれと同じ符号を付し、一部の説明を省略する。図７において、衣類乾燥装置５は、実施の形態１に示す衣類乾燥装置１（図１参照）のヒートポンプ装置４０ｂは、冷媒を圧縮する圧縮機４１、圧縮された冷媒を凝縮させる凝縮器４２、凝縮した冷媒を膨張させる膨張手段（図示しない）、膨張した冷媒を蒸発させる蒸発器（以下「第１蒸発器」と称す）４４および第２蒸発器４５と、これらを順番に連結して冷媒を循環させる循環配管（図示しない）とから構成されている。
なお、第１蒸発器４４と第２蒸発器４５とは直列に配置されても並列に配置されてもよく、また、第２蒸発器４５をバイパス自在なバイパス配管（開閉弁等を具備）を設けてもよい。
【００２６】
そして、第１蒸発器４４には、実施の形態１の蒸発器４４と同様にドラム１２から排出された高湿空気が供給され、これから水分を除去する。
一方、第２蒸発器４５は外気導入口２１に設置され、外気受入部２２に吸引される外気の湿度を下げている。したがって、ドラム１２に供給される高温空気がより乾燥したものになるため、ドラム１２における乾燥効率が向上する。
なお、第２蒸発器４５は、実施の形態２〜４における外気導入口２１に設置することができることは明らかであって、かかる設置によってドラム１２における乾燥効率がより向上するものである。（図４〜６参照）。
【００２７】
［実施の形態６］
（衣類乾燥装置−外気注入式）
図８は、本発明の実施の形態６に係る衣類乾燥装置の一部を模式的に示す平面図である。なお、実施の形態１（図１）と同じ部分にはこれと同じ符号を付し、一部の説明を省略する。図８において、衣類乾燥装置６は、実施の形態１に示す衣類乾燥装置１（図１参照）において、蒸発器４４に外気を注入する外気注入手段９０が設置されている。すなわち、外気注入手段９０は、側面１５に開口した外気注入口９１と、外気注入口９１とドラム排気経路３１とを連通する外気注入路（ダクトに同じ）９２と、外気注入路９２を開通または閉塞する注気ダンパー９３と具備している。
【００２８】
したがって、乾燥運転時で衣類が乾燥していくうちに、蒸発器４４に入る高湿空気の温度が上昇して、そのため冷媒の蒸発温度も上がる。そのため、凝縮温度も上がるようになる（図８の（ａ）参照）。このとき、乾燥衣類の量、外気温等の条件によっては、設定した蒸発温度以上に上がる場合がある。このようなときに、注気ダンパー９３を開けて外気の取り込みを行い、蒸発温度を下げ、それにともない凝縮温度を下げる（図８の（ｂ）参照）。
なお、以上は、外気注入手段９０として外気注入路９２と注気ダンパー９３とを具備するものを示しているが、本発明はこれに限定するものではなく、洗濯槽１１の扉１６（図１の（b）参照）を乾燥中にわずかに開き外気を導入するような構造にしてもよい。
また、外気注入手段９０は、実施の形態２〜５に示す衣類乾燥装置２〜５に設けることができるものである。
【００２９】
［実施の形態７］
（衣類乾燥装置−水滴排出式）
図９は、本発明の実施の形態７に係る衣類乾燥装置の一部を模式的に示す、（ａ）は側断面図、（ｂ）は部分拡大図である。なお、実施の形態１（図１）と同じ部分にはこれと同じ符号を付し、一部の説明を省略する。図９において、衣類乾燥装置７は、実施の形態１に示す衣類乾燥装置１（図１参照）において蒸発器排気経路３４に替えて、水滴を排出する水滴の吹き出しを防止する湾曲部３６と排水孔３７と具備する蒸発器排気経路３４ｂを有するものである。
すなわち、略水平に配置された略直線状の蒸発器排気経路３４ｂの一部に下方に突出する湾曲部３６を形成し、湾曲部３６の最下部に排水孔３７を設けている。したがって、蒸発器４４から持ち出された水滴が、湾曲部３６で取り除かれ、排水孔３７を通過して蒸発器排気経路３４の外に排出される。排出された水滴は排水孔３７の下方に配置されたドレン受け（図示しない）に受け止められ、洗濯水の排出口（図示しない）に流れ込むことになる。したがって、排気口３５から衣類乾燥装置７の外部への水滴の吹き出しが防止される。
なお、蒸発器排気経路３４ｂは実施の形態２〜６に示す衣類乾燥装置２〜６に設けることができるものである。
【００３０】
［その他の形態］
以上は、衣類乾燥装置が、洗濯と乾燥とを同一槽で行う乾燥機能付き洗濯機に設置されているものについて説明しているが、本発明はこれに限定するものではなく、洗濯と乾燥とを別個の槽で行う乾燥機能付き洗濯機や、乾燥のみを行う衣類乾燥装置であってもよい。さらに、本発明は、衣類以外の乾燥装置や除湿装置、たとえば、食品等の物品を乾燥する乾燥装置や除湿装置にも適用できるものであるから、かかる乾燥装置や除湿装置は本発明に均等である。
【産業上の利用可能性】
【００３１】
以上より、本発明の衣類乾燥機は、圧縮機の本体が発する熱を衣類乾燥用空気の加熱に利用するから、省エネが求められる各種衣類乾燥装置として広く利用することができる。
【図面の簡単な説明】
【００３２】
【図１】本発明の実施の形態１に係る衣類乾燥装置を模式的に示す平面図等。
【図２】図１に示す衣類乾燥装置の省エネ効果を概略説明するモリエル線図。
【図３】図１に示す衣類乾燥装置に設置される圧縮機の例を模式的に示す斜視図。
【図４】本発明の実施の形態２に係る衣類乾燥装置の一部を模式的に示す平面図。
【図５】本発明の実施の形態３に係る衣類乾燥装置の一部を模式的に示す平面図。
【図６】本発明の実施の形態４に係る衣類乾燥装置の一部を模式的に示す平面図。
【図７】本発明の実施の形態５に係る衣類乾燥装置の一部を模式的に示す平面図。
【図８】本発明の実施の形態６に係る衣類乾燥装置の一部を模式的に示す平面図。
【図９】本発明の実施の形態７に係る衣類乾燥装置の一部を模式的に示す側断面図等。
【符号の説明】
【００３３】
１〜７：衣類乾燥装置（実施の形態１〜７）、１０：本体、１１：洗濯槽、１２：ドラム、１３：背面、１４：前面、１５：側面、１６：扉、２０：給気手段、２１：外気導入口、２２：外気受入部、２３：給気ファン、２４：給気経路、３０：排気手段、３１：ドラム排気経路、３２：排気ファン、３３：排気モータ、３４：蒸発器排気経路、３５：排気口、３６：湾曲部、３７：排水孔、４０：ヒートポンプ装置、４１：圧縮機、４２：凝縮器、４４：蒸発器、４５：第２蒸発器、５１：仕切り板、６０：ヒートパイプ、６１：受熱部、６２：放熱部、７１：循環経路、７２：循環ダンパ、７３：切替ダンパ、８０：開閉扉、９０：外気注入手段、９１：外気注入口、９２：外気注入路、９３：注気ダンパー、４１１ａ〜４１２ｅ：放熱フィン。
【図１】
2007143720.tif 000003
【図２】
2007143720.tif 000004
【図３】
2007143720.tif 000005
【図４】
2007143720.tif 000006
【図５】
2007143720.tif 000007
【図６】
2007143720.tif 000008
【図７】
2007143720.tif 000009
【図８】
2007143720.tif 000010
【図９】
2007143720.tif 000011